(57)【要約】【課題】外部のコネクタが接続される端子が半田付けされた配線基板を用いた電気接続箱において、端子の半田付け部が損傷を受けるのを防ぐことができる電気接続箱の提供。【解決手段】ハウジング２内に配線基板３が設けられ、配線基板３の一方の面３ａに、外部のプラグコネクタが接続可能な端子ユニット４が設けられた電気接続箱１。端子ユニット４は、配線基板３に半田付けされた端子６と、端子６の基部６ｂを支持する支持部７とを有する。ハウジング２の表板１０には、端子６が挿通する開口部１１が形成されている。開口部１１の側端面１２の主端面１６は、配線基板３に近づくに従って端子ユニット４から離れる方向に傾斜して形成されている。支持部７は、配線基板３に沿う方向に移動した場合に、傾斜した主端面１６に当接可能とされている。【選択図】図１
2010161831.tif 000002
【特許請求の範囲】
【請求項１】
ハウジング（２）内に配線基板（３）が設けられ、前記配線基板の一方の面（３ａ）に、外部のコネクタが接続可能な端子ユニット（４）が設けられ、
前記端子ユニットが、前記配線基板に半田付けされた端子（６）と、前記端子の基部（６ｂ）を支持する支持部（７）とを有し、
前記ハウジングの表板（１０）に、前記端子が挿通する開口部（１１）が形成され、
前記開口部の側端面（１２）のうち少なくとも一部（１６）が、前記配線基板に近づくに従って前記端子ユニットから離れる方向に傾斜して形成され、
前記支持部は、前記配線基板に沿う方向に移動した場合に、前記側端面の傾斜部分に当接可能とされていることを特徴とする電気接続箱（１）。
【請求項２】
前記ハウジングの表板には、前記開口部の側端面から、これに交差する方向に延びる複数のスリット（１８）が形成され、
前記支持部は、前記配線基板に沿う方向に移動した場合に、前記複数のスリットの間に位置する部分の表板の側端面に当接するように形成されていることを特徴とする請求項１に記載の電気接続箱。
【発明の詳細な説明】
【技術分野】
【０００１】
本発明は、例えば自動車のワイヤーハーネスの分岐接続などに使用可能な電気接続箱に関する。
【背景技術】
【０００２】
自動車等においてワイヤーハーネスを種々の電装品に分岐接続されるのに用いられる電気接続箱は、分岐接続点を一箇所に集中させ、配線を合理的かつ経済的に分岐接続するものである（例えば特許文献１参照）。
電気接続箱は、ワイヤーハーネスを内部回路にコネクタ接続できるように構成されている。
電気接続箱内の回路は、金属板からなるバスバーによって形成したものが一般的であるが、近年では、回路の一部または全部を配線基板（回路基板）で構成することが提案されている。
【０００３】
図６は、電気接続箱の一例の要部を示すもので、この電気接続箱２１は、ハウジング２２内に配線基板３が設けられ、配線基板３の上面３ａに、外部のプラグコネクタ５が接続可能な端子ユニット４が設けられている。
端子ユニット４は、基端部６ａにおいて配線基板３に半田付けにより固定された端子６と、端子６の基部６ｂを支持する支持部７とを有する。支持部７は、ハウジング２２に形成された開口部２３内に位置している。
【先行技術文献】
【特許文献】
【０００４】
【特許文献１】特開２００７−４３８１０号公報
【発明の概要】
【発明が解決しようとする課題】
【０００５】
しかしながら、上記電気接続箱では、プラグコネクタ５が端子６に接続された状態で、このプラグコネクタ５に力が加えられると、その力が、配線基板３に半田付けされた端子６の基端部６ａに及ぶおそれがある。
本発明は、前記事情に鑑みてなされたもので、外部のコネクタが接続される端子が半田付けされた配線基板を用いた電気接続箱において、端子の半田付け部が損傷を受けるのを防ぐことができる電気接続箱の提供を目的とする。
【課題を解決するための手段】
【０００６】
本発明の請求項１にかかる電気接続箱は、ハウジング内に配線基板が設けられ、前記配線基板の一方の面に、外部のコネクタが接続可能な端子ユニットが設けられ、前記端子ユニットが、前記配線基板に半田付けされた端子と、前記端子の基部を支持する支持部とを有し、前記ハウジングの表板に、前記端子が挿通する開口部が形成され、前記開口部の側端面のうち少なくとも一部が、前記配線基板に近づくに従って前記端子ユニットから離れる方向に傾斜して形成され、前記支持部は、前記配線基板に沿う方向に移動した場合に、前記側端面の傾斜部分に当接可能とされていることを特徴とする電気接続箱。
本発明の請求項２にかかる電気接続箱は、請求項１において、前記ハウジングの表板には、前記開口部の側端面から、これに交差する方向に延びる複数のスリットが形成され、前記支持部は、前記配線基板に沿う方向に移動した場合に、前記複数のスリットの間に位置する部分の表板の側端面に当接するように形成されていることを特徴とする請求項１に記載の電気接続箱。
【発明の効果】
【０００７】
本発明によれば、端子ユニットが当接する開口部端面が傾斜して形成されているので、外部のコネクタにより加えられる力によって端子ユニットが移動して開口部端面を押圧した場合に、ハウジングの表板には斜め外方への力が作用する。このため、ハウジングの表板が外方にわずかに曲げ変形することにより、端子ユニットが受ける抗力は小さくなる。
従って、端子の基端部に作用する力も小さくなることから、半田付け部が損傷を受けるのを防ぐことができる。
【図面の簡単な説明】
【０００８】
【図１】本発明にかかる電気接続箱の一例の要部を示す断面斜視図である。
【図２】図１に示す電気接続箱の外観を示す斜視図である。
【図３】図１に示す電気接続箱の要部を拡大した斜視図である。
【図４】図１に示す電気接続箱の動作を説明する模式図である。
【図５】図１に示す電気接続箱の動作を説明する模式図である。
【図６】従来の電気接続箱の一例を示す模式図である。
【発明を実施するための形態】
【０００９】
以下、図１および図２を参照して本発明の実施形態を説明する。
図１は、本発明にかかる電気接続箱の一例である電気接続箱１の要部を示す断面斜視図である。図２は、電気接続箱１の外観を示す斜視図である。図３は、電気接続箱１の要部を拡大した斜視図である。
なお、図１に示すように、以下の説明において、ハウジング２の外部から内部に向かう方向を内方向といい、その反対の方向を外方向という。内方向および外方向は、配線基板３に対しほぼ垂直である。また、図１における左右方向を側方という。
【００１０】
図１〜図３に示す電気接続箱１は、ハウジング２内に配線基板３が設けられ、配線基板３の上面３ａ（一方の面）に、外部のプラグコネクタ（図示略）が接続可能な端子ユニット４が設けられている。
図２および図３に示すように、ハウジング２は、樹脂などからなり、配線基板３を収容可能な箱状に形成され、表板１０の外面１０ａにはコネクタ接続部８が形成されている。
コネクタ接続部８は、表板１０の外面１０ａに立設された区画壁部９により区画された空間であり、外部のプラグコネクタ（図示略）を挿入可能とされている。
表板１０には、端子ユニット４に相当する位置に、コネクタ接続部８に臨んで開口部１１が形成されている。
【００１１】
図１および図３に示すように、開口部１１は、平面視略矩形状に形成されており、その側端面１２は、配線基板３に近づくに従って端子ユニット４から離れる方向に傾斜した主端面１６と、主端面１６の外縁１６ａから表板１０の外面にかけて配線基板３に垂直に形成された外端面１７とを有する。
主端面１６は、側端面１２の大部分を占めており、配線基板３に対する傾斜角度はほぼ一定とすることができる。
なお、開口部の側端面は、全面が傾斜面であってもよい。
【００１２】
ハウジング２の表板１０には、側端面１２から、側端面１２に交差する方向に延びるスリット１８が形成されている。
スリット１８は、後述する支持部７が側端面１２を押圧したときに、表板１０を変形しやすくするものであって、図示例では、開口部１１の側端面１２の両端部から、側端面１２に垂直な方向に形成されている。スリット１８は、表板１０の外面１０ａから内面１０ｂに至るように形成されている。
配線基板３は、ハウジング２の表板１０に沿って配置されている。
【００１３】
図１に示すように、端子ユニット４は、基端部６ａにおいて配線基板３に半田付け（図示略）により固定された端子６と、端子６の基部６ｂを配線基板３上で支持する支持部７とを有する。
端子６は、銅合金などの金属板で形成され、開口部１１に挿通し、コネクタ接続部８内に突出している。
支持部７は、樹脂などからなり、支持板１３と、その両側縁１３ａから垂下する脚部１４とを有し、脚部１４において配線基板３の上面３ａに固定されている。
支持板１３は、平面視矩形状に形成され、端子６が挿通する挿通孔１３ｂが形成されている。支持板１３は、配線基板３にほぼ平行とすることができる。
【００１４】
支持部７は、少なくとも一部が、ハウジング２の開口部１１の主端面１６に相当する高さに位置しており、配線基板３に沿う方向に移動した場合に主端面１６に当接するようになっている。
図示例では、支持板１３の外面の外縁部１３ｃは、主端面１６に相当する高さ位置にあり、支持部７が配線基板３に沿う方向に移動した場合に、主端面１６に当接するように形成されている。
支持部７は、側端面１２の両端部に形成された２つのスリット１８、１８間の部分の表板１０に当接するように構成することができる。
【００１５】
次に、電気接続箱１の動作について説明する。
図４および図５に示すように、端子ユニット４の端子６にプラグコネクタ５が接続され、このプラグコネクタ５に外部から側方への力が加えられると、配線基板３とともに端子ユニット４がハウジング２に対して側方に移動することがある。ここで、側方とは、配線基板３に沿う方向である。
上述のように、支持部７の外縁部１３ｃは、主端面１６に相当する高さ位置にあるため、側方移動によって主端面１６に当接する。詳しくは、２つのスリット１８、１８間の部分の主端面１６に当接する。
支持部７にさらに側方への力が加えられると、外縁部１３ｃにより主端面１６が押圧される。
【００１６】
主端面１６は傾斜面であるため、外縁部１３ｃにより主端面１６に加えられる押圧力は、斜め上方（図５における右上方向）に作用する。
図５に示すように、この押圧力によって、表板１０の一部はわずかに上方（外方）に曲げ変形する。支持部７が当接するのはスリット１８、１８間の部分であるため、他の部分とは独立に変形可能であることから、当接部分の表板１０は比較的容易に変形する。
この変形により、支持部７が主端面１６から受ける抗力が緩和されるため、端子６の基端部６ａに作用する力も小さくなる。
従って、端子６の半田付け部が損傷を受けるのを防ぐことができる。
【００１７】
なお、図示例では、スリット１８は側端面１２の両端部にそれぞれ形成したが、その形成位置は、支持部７が当接する部分の表板１０が変形しやすくなる位置であればよく、図示例に限定されない。スリット１８の数は３以上であってもよい。
また、スリット１８の形成方向は側端面１２に垂直な方向に限らず、側端面１２に対し傾斜する方向であってもよい。
【産業上の利用可能性】
【００１８】
本発明の電気接続箱は、例えばワイヤーハーネスを種々の電装品に分岐接続されるのに用いられる電気接続箱として利用することができる。
【符号の説明】
【００１９】
１・・・電気接続箱、２・・・ハウジング、３・・・配線基板、３ａ・・・上面（一方の面）、４・・・端子ユニット、６・・・端子（端子）、６ｂ・・・基部、７・・・支持部、１０・・・表板、１１・・・開口部、１２・・・側端面、１６・・・主端面（側端面の傾斜部分）、１８・・・スリット。
【図１】
2010161831.tif 000003
【図２】
2010161831.tif 000004
【図３】
2010161831.tif 000005
【図４】
2010161831.tif 000006
【図５】
2010161831.tif 000007
【図６】
2010161831.tif 000008